(57)【要約】      （修正有）【課題】前方開口の箱型の掬い取り部Ａと、掬い取り部と連結した連結縦杆部Ｂ、及び連結縦杆部を斜向して延設した把手縦杆部Ｃを備えたコの字状のフレーム杆とで構成された除雪具において、連結縦杆部と把手縦杆部間に差し渡して簡単に作業性よく装着できる除雪用補強具を提供する。【解決手段】頂部が連続する対向面を備え、対向面下部２１ａ，２１ｂを挟持湾曲面とした挟持本体２ａ，２ｂと、挟持湾曲面の上方の対向面上部２２ａ，２２ｂを貫通する緊締ボルト及び挟圧ナットとから構成される挟持部材を、適宜長さの補強杆１の両端部に、挟持本体２ａ，２ｂの一方の対向面上部２２ａ，２２ｂの端縁から突出した連結板部２４ａ，２４ｂで、回動自在に枢結してなる。【選択図】図５
0003194810.tif 000002
【実用新案登録請求の範囲】
【請求項１】
前方開口の箱型の掬い取り部と、掬い取り部の側面上端に添わせると共に、掬い取り部と連結した連結縦杆部、及び前記連結縦杆部を斜向して延設した把手縦杆部を備えたコの字状のフレーム杆とで構成された除雪具における、前記連結縦杆の適宜箇所と把手縦杆部の適宜箇所に差し渡して装着する補強具であって、頂部が連続する対向面を備え、対向面下部を挟持湾曲面とした本体と、前記挟持湾曲面の上方の対向面上部を貫通する緊締ボルト及び挟圧ナットとから構成される挟持部材を、適宜長さの補強杆の両端部に、前記本体の一方の対向面上部の端縁から突出した連結板部で、回動自在に枢結してなることを特徴とする除雪具用補強具。
【請求項２】
補強杆の端部と連結板部との枢結を、両者に設けた枢結透孔を貫通する枢結ボルト及び固定ナットで構成してなる請求項１記載の除雪具用補強具。
【考案の詳細な説明】
【技術分野】
【０００１】
本考案は、既存の除雪具に装着する補強具に関するものである。  
【背景技術】
【０００２】
一般的に知られている除雪具は、積雪を掬い取り、他所に運搬して排雪するもので、一般的には前方が開口した箱型の掬い取り部とコの字状のフレーム杆で構成され、フレーム杆の先方部分（連結縦杆部）を掬い取り部の側面の上端巻縁に連結し、前記連結縦杆部の後方の縦杆（把手縦杆部）を上方に折曲し、後方横杆と共に把手を形成しているものである。
【０００３】
前記の除雪具を使用しての除雪作業は、掬い取り部先端を水平状態として積雪内に押し込んで、多量の積雪を掬い取り、排雪のために運搬する時には掬い取り部先端をやや上方に持ち上げて行う。このためにフレーム杆の連結縦杆部と把手縦杆部に大きな荷重が加わることになり、前記連結縦杆部と把手縦杆部の角度が変わり、或いは掬い取り部との連結個所が損傷する虞がある。
【０００４】
そこで従前より連結縦杆と把手部縦杆とを補強杆で連結する補強具が提案されている。例えば特許文献１（特許第４１８１５８８号公報）には、連結縦杆部に掬い取り部の上端巻縁と共にボルト孔を開設し、補強杆の一端を折曲して前記ボルト孔に挿着し、他方端に２個の挟持部材を対向させて、前記挟持部材の一端を補強杆にボルト連結し、他端を互いにボルト連結して、挟持部材で把手縦杆部を挟持しているものである。
【０００５】
また特許文献２（意匠登録第１５００４２０号公報）には、補強杆の両端にそれぞれ挟持部材を設けており、前記挟持部材は、湾曲抱持板部と対向板部の各端部を、補強杆にボルト連結してなるものである。
【先行技術文献】
【特許文献】
【０００６】
【特許文献１】特許第４１８１５８８号公報。
【特許文献２】意匠登録第１５００４２０号公報。
【考案の概要】
【考案が解決しようとする課題】
【０００７】
前記した従来の補強具における挟持構造は、その装着作業が煩瑣である。即ち特許文献１記載の補強具は、既存の除雪具にそのまま装着することができず、所定箇所にボルト孔を穿設しなければならない。また挟持部材も２部品で形成され、把手縦杆部への装着に際して、２カ所においてボルト・ナット緊締作業が必要となってくる。
【０００８】
特許文献２記載の補強具は、挟持部材の装着には１個のボルト・ナット緊締で実施することができるが、緊締作業において対向する挟持部材に各々回動力が加わるので、挟持位置がずれてしまう虞があり、装着作業に注意を要する。
【０００９】
そこで本考案は、装着作業性に優れた除雪具用補強具を提案したものである。
【課題を解決するための手段】
【００１０】
本考案に係る除雪具用補強具は、前方開口の箱型の掬い取り部と、掬い取り部の側面上端に添わせると共に、掬い取り部と連結した連結縦杆部、及び前記連結縦杆部を斜向して延設した把手縦杆部を備えたコの字状のフレーム杆とで構成された除雪具における、前記連結縦杆部の適宜箇所と把手縦杆部の適宜箇所に差し渡して装着する補強具であって、頂部が連続する対向面を備え、対向面下部を挟持湾曲面とした挟持本体と、前記挟持湾曲面の上方の対向面上部を貫通する緊締ボルト及び挟圧ナットとから構成される挟持部材を、適宜長さの補強杆の両端部に、前記挟持本体の一方の対向面上部の端縁から突出した連結板部で、回動自在に枢結してなることを特徴とするものである。
【００１１】
而して前記の補強金具は、補強杆の両端部に枢結した挟持部材における各挟持本体の挟持湾曲面（対向面下部）を、除雪具における連結縦杆部と連結している掬い取り部の外周面と、把手縦杆部の外周面に被冠し、緊締ボルトに挟圧ナットを螺合緊締すると、対向面下部で当該箇所を強く挟持し、挟持本体が固定装着されて、本補強具が除雪具に取り付けられるものである。
【００１２】
本考案の請求項２記載に係る除雪具用補強具は、前記補強具において、補強杆と連結板部との枢結を、両者に設けた枢結透孔を貫通する枢結ボルト及び固定ナットで構成してなるもので、前記の補強具の装着固定後に、枢結箇所を固定することで補強杆と挟持本体が一体化し、除雪具により以上堅牢に装着される。
【考案の効果】
【００１３】
本考案の構成は上記のとおりで、挟持本体を既存の除雪具の装着対象箇所に跨がせて位置させ、単にボルト・ナットの緊締を行うことによって、正確な位置で且つ堅牢に挟持装着され、補強具を簡単に取り付けることができたものである。
【図面の簡単な説明】
【００１４】
【図１】本考案の実施形態（補強具）の除雪具への装着状態を示す全体斜視図。
【図２】同一部拡大図。
【図３】同一部省略した正面図。
【図４】同挟持本体の端面図で、（イ）は下方挟持本体を示し、（ロ）は上方挟持本体を示す。
【図５】同正面図。
【考案を実施するための形態】
【００１５】
次に本考案の実施形態について説明する。本考案に係る補強具は、既存の除雪具に装着して使用するもので、その除雪具は周知のとおり、前方開口の箱型の掬い取り部Ａと、掬い取り部Ａの側面上端に添わせると共に、掬い取り部Ａと連結した連結縦杆部Ｂ、及び前記連結縦杆部Ｂを斜向して延設した把手縦杆部Ｃ、及び把手縦杆部Ｃの上方を連結した後方横杆Ｄのコの字状のフレーム杆とで構成されたものである。
【００１６】
実施形態に示した補強具は、補強杆１と補強杆１の両端に設けたられた挟持部材からなり、挟持部材は、上方挟持本体２ａ下方挟持本体２ｂと、緊締ボルト３及び挟圧ナット４で構成される。
【００１７】
更に実施形態の器具は、補強杆１と上下方挟持本体２ａ，２ｂを枢結固定する枢結ボルト５及び固定ナット６を備えてなるものである。
【００１８】
補強杆１は、連結縦杆部Ｂの適宜箇所（掬い取り部Ａの側面上端の外周面となる）と把手縦杆部Ｃの適宜箇所を結ぶ三角形となる斜辺長に対応する長さで、主板部１１の上下辺を折曲し折曲辺部１２を設けて断面コの字状としたもので、特に両端部分は後述するとおり枢結ボルト５及び固定ナット６の操作に支障が生じないように、折曲辺部１２を形成せず、且つ枢結透孔１３を穿設したものである。
【００１９】
上下方挟持本体２ａ，２ｂは、全体が二つ折りで頂部が連結し、弾性力で対向面が開閉するようにしたもので、対向面下部２１ａ，２１ｂは、略装着個所の断面形状、即ち把手縦杆部Ｃの断面形状と、連結縦杆部Ｂの外周を掬い取り部Ａの側面上端で覆った断面形状と対応する形状とし、対向面上部２２ａ，２２ｂには、貫通孔２３ａ，２３ｂを穿設し、対向面上部２２ａ，２２ｂの端縁から連結板部２４ａ，２４ｂを延長して突設すると共に、枢結透孔２５ａ，２５ｂを穿設したものである。
【００２０】
緊締ボルト３は、上下方挟持本体２ａ，２ｂの貫通孔２３ａ，２３ｂに貫通装着し、挟圧ナット４を螺合したものである。
【００２１】
また前記補強杆１と上下方挟持本体２ａ，２ｂは、補強杆１の両端部分の主板部１１と、上下方挟持本体２ａ，２ｂの連結板部２４ａ，２４ｂを重ね合わせ、合致させた枢結透孔１３と枢結透孔２５ａ，２５ｂに枢結ボルト５を挿着し、固定ナット６を螺合したものである。
【００２２】
而して補強金具は、１個の除雪具に対して２個使用するのが通常で、上下方挟持本体２ａ，２ｂの各対向面下部２１ａ，２１ｂを、各々既存の除雪具における左右の把手縦杆部Ｃの外周面と、左右の連結縦杆部Ｂを覆うように設けられている掬い取り部Ａの側面上端外周面に被冠し、緊締ボルト３に挟圧ナット４を緊締すると、各対向面下部２１ａ，２１ｂで当該被冠箇所を強く挟持し、各挟持本体２ａ，２ｂが固定装着される。
【００２３】
特に予め枢結ボルト５及び固定ナット６を緩めておくと、前記の固定装着において、補強杆１と各挟持本体２ａ，２ｂの相対角度を変更できるので、前記の各挟持本体２ａ，２ｂの装着位置が多少ずれた位置であっても、何らの支障もなく固定装着可能である。
【００２４】
また前記対向面下部２１ａ，２１ｂで当該被冠箇所を強く挟持して、各挟持本体２ａ，２ｂが固定装着した際に、対向面上部２２ａ，２２ｂが平行に対抗するように設けておくと、補強杆１が捻じれ方向に傾くことなく、主板部１１の面が連結縦杆部Ｂ及び把手縦杆部Ｃに向かう鉛直面となるように装着されることになる。
【００２５】
そこで各挟持本体２ａ，２ｂの固定装着の後に、枢結ボルト５に固定ナット６を緊締して枢結箇所を固定するものである。
【００２６】
従って本考案の補強具は、既存の除雪具に対して、各挟持本体２ａ，２ｂを所定箇所に被冠して挟圧ナット４を緊締し、更に固定ナット６を緊締するという簡単な装着動作で、確実に除雪具に取り付けることができたものである。
【００２７】
尚前記実施形態では、補強杆１としてコの字状杆を採用したが、その他金属管を採用すると共に両端部分を平板状に潰し、前記平板部分を連結板部２４ａ，２４ｂを重ね合わせて枢結する金属管状の補強杆も採用できる。
【符号の説明】
【００２８】
１      補強杆
１１    主板部
１２    折曲辺部
１３    枢結透孔
２ａ    上方挟持本体
２ｂ    下方挟持本体
２１ａ，２１ｂ  対向面下部
２２ａ，２２ｂ  対向面上部
２３ａ，２３ｂ  貫通孔
２４ａ，２４ｂ  連結板部
２５ａ，２５ｂ  枢結透孔
３      緊締ボルト
４      挟圧ナット
５      枢結ボルト
６      固定ナット
Ａ      掬い取り部
Ｂ      連結縦杆部
Ｃ      把手縦杆部
Ｄ      後方横杆
【図１】
0003194810.tif 000003
【図２】
0003194810.tif 000004
【図３】
0003194810.tif 000005
【図４】
0003194810.tif 000006
【図５】
0003194810.tif 000007